(57)【要約】      （修正有）【課題】単一の素材を筒巻き状として、工具ポケットの前面側壁も背面側壁も一体的に形成してある構造とすることによって、工具用腰袋の横幅方向の大きさを究極的に最小化可能な構造としてある工具用腰袋を提供する。【解決手段】シート状素材が、筒巻き状に一重又は二重若しくは三重巻きされて工具差込用ポケットが形成され、少なくとも当該背面壁１２が二重壁に形成されている腰袋本体１と、腰ベルト挿通用空間４を備えた腰下げ部３とからなり、腰下げ部３が腰袋本体１の上部に形成される構成とする。また、該工具用腰袋は、腰袋本体１と腰下げ部３とが別体として形成され、腰袋本体１がヒンジ部材５を介して腰下げ部３の下方に連結されている構成とすることもできる。【選択図】図３
0003175196.tif 000002
【実用新案登録請求の範囲】
【請求項１】
シート状素材が、筒巻き状に一重又は二重若しくは三重巻きされて工具差込用ポケット(2)が形成され、少なくとも当該背面壁(12)が二重壁に形成されている腰袋本体(1)と、腰ベルト挿通用空間(4)を備えた腰下げ部(3)とからなり、該腰下げ部(3)が前記腰袋本体(1)の上部に形成されている工具用腰袋。
【請求項２】
腰袋本体(1)と腰下げ部(3)とが別体として形成され、腰袋本体(1)がヒンジ部材(5)を介して腰下げ部(3)の下方に連結されている請求項１に記載の工具用腰袋。
【請求項３】
腰袋本体(1)における背面壁(12)が、当該腰袋本体(1)を構成する素材の始端側部分(13)と終端側部分(14)とを重合させて二重壁に形成されているものである請求項１又は２に記載の工具用腰袋。
【考案の詳細な説明】
【技術分野】
【０００１】
本考案は、電気工事者や土木・建築工事者等が工具類を腰に吊り下げておくために使用する工具用腰袋に関するものである。
【０００２】
より詳しくは、折曲げ可能な天然又は人工皮革や合成樹脂製シート素材、帆布のような厚手の織布や不織布、その他の耐久性に優れたシート状素材を選定し、これを筒巻き状に一重，二重又は三重巻きして可及的に横幅を小幅のものとし、工具の種類に応じた必要空間を備えた工具差込用ポケットを形成してある工具用腰袋に関するものである。
【背景技術】
【０００３】
従来から使用されているこの種の工具用腰袋の大部分は、横幅方向にも上下長さ方向にも折曲げ困難な程度に硬さを備えた厚手の皮革をベース素材として、このベース皮革に対して、その表面側に別素材の薄手のポケット形成用皮革を縫い付けて所要ポケットを形成してある構造としたものであった。
【０００４】
殊に、ベース皮革に対して、その横幅方向の両側縁部に所要幅の縫い代を残してポケット形成用皮革を縫い付けてある構造としてあったので、横幅方向に広幅のものとならざるを得ないものとなっていて、腰回りに広い幅を必要とし、他の腰袋を吊り下げるスペースが少なくなり、多数の工具を吊り下げる場合の阻害要因となっていた。
【０００５】
このような従来の工具用腰袋が有する課題を解消するための手段として、次の特許文献１，２に記載の２件の技術が開発され、公知となっている。
【先行技術文献】
【特許文献】
【０００６】
【特許文献１】特開２０１０−１３７３０６号公報
【特許文献２】特開２０１０−１３７３０７号公報
【考案の概要】
【考案が解決しようとする課題】
【０００７】
これらの特許文献１，２の内、前者の特許文献１にみられる工具ホルダーは、ホルダーを形成する素材として、細幅に形成したベース部材１と、その両側から表側に向けて突出させるためのカバー部材２と、このカバー部材の前面側の両端部どうしを連結する前部材５とによって、作業者が腰に吊り下げる場合、左右方向に嵩張って邪魔になることを防止するようにした工具用腰袋が示されている。
【０００８】
また、後者の特許文献２にみられる工具ホルダーは、細幅に形成したベース部材１と、
その背面側に連結した別部材のカバー部材２を、ベース部材１の両側から表面側に向けて突出させて、ベース部材１の表面側中央部において、カバー部材２の両端部どうしを直接連結することによって、作業者が腰に吊り下げる場合、左右方向に嵩張って邪魔になることを防止するようにした工具用腰袋が示されている。
【０００９】
しかしながら、これらの特許文献１，２に記載の工具ホルダーは、何れもが、前記従来品が備えている、横幅方向に広幅に形成された厚手皮革製のベース素材と同様に、横幅を細幅に代えたベース部材１を基礎部材として、このベース部材１に対して、別部材であるポケット形成部材を連結して一体化した構造という点では、従来品と同じ技術思想のものである。
【００１０】
本考案の目的は、このように、ベース部材１に対して別部材としたポケット形成部材を連結して一体化するという技術思想を根本的に廃し、単一の素材を筒巻き状とすることにより、工具ポケットの前面側壁も背面側壁も一体的に形成してある構造とすることによって、工具用腰袋の横幅方向の大きさを究極的に最小化可能な構造とした工具用腰袋をここに提案するものである。
【００１１】
該考案の目的を達成するために講じた本考案にいう工具用腰袋の構成は、シート状素材が、筒巻き状に一重又は二重若しくは三重巻きされて工具差込用ポケット２が形成され、少なくとも当該背面壁１２が二重壁に形成されている腰袋本体１と、腰ベルト挿通用空間４を備えた腰下げ部３とからなり、該腰下げ部３が前記腰袋本体１の上部に形成されている構成としたものである。
【００１２】
また、本考案にいう工具用腰袋は、請求項２にみられるように、腰袋本体１と腰下げ部３とが別体として形成され、腰袋本体１がヒンジ部材５を介して腰下げ部３の下方に連結されている構成として実施することができる。
【００１３】
更に、本考案にいう工具用腰袋は、請求項３にみられるように、腰袋本体１における背面壁１２が、当該腰袋本体１を構成する素材の始端側部分１３と終端側部分１４とを重合させて二重壁に形成されている構成として実施することもできる。
【考案の効果】
【００１４】
本考案にいう工具用腰袋は、腰袋本体の構成として、シート状素材が、筒巻き状に一重又は二重若しくは三重巻きされて工具差込用ポケットが形成されている構成とされ、少なくとも当該背面壁が二重壁に形成されている構成のものとしてあるので、換言すると工具ポケットの前面側壁も背面側壁も一連のシート素材によって一体的に形成されている構成のものとし、更に当該シートの背面壁を二重壁に形成してあるので、工具ポケットに必要な横幅を充分に確保することができるものでありながら工具用腰袋全体の横幅を究極的に最小化でき、同時に使用素材も最小化することができ、併せて工具用腰袋全体の上下方向の必要硬度も確保させることができるという優れた効果を有する。
【００１５】
請求項２に記載の本考案にいう工具用腰袋は、腰袋本体と腰下げ部とを別体として形成し、腰袋本体をヒンジ部材を介して腰下げ部の下方に連結してあるので、個々に形成した腰袋本体と腰下げ部とをヒンジ部材で連結するだけでよいので、腰袋全体の製造が容易であるという利点がある。
【００１６】
更に、請求項３に記載の本考案にいう工具用腰袋は、腰袋本体における背面壁を、当該腰袋本体を構成する素材の始端側部分と終端側部分とを重合させることによって二重壁に形成させてあるので、腰袋全体の使用素材を最小限に止めることができると同時に、腰袋全体の上下方向の必要硬度も確保できるという効果を有する。
【図面の簡単な説明】
【００１７】
【図１】第１実施例を示す正面図。
【図２】同右側面図。
【図３】同左側面図。
【図４】同背面図。
【図５】同平面図。
【図６】図１におけるＡ−Ａ線断面図。
【図７】同Ｂ−Ｂ線断面図。
【図８】同Ｃ−Ｃ線断面図。
【図９】第２実施例を示す正面図。
【図１０】同左側面図。
【図１１】同背面図。
【図１２】第３実施例を示す正面図。
【図１３】同右側面図。
【図１４】同左側面図。
【図１５】同背面図。
【図１６】同平面図。
【図１７】図１２におけるＤ−Ｄ線断面図。
【図１８】同Ｅ−Ｅ線切断端面図。
【図１９】同Ｆ−Ｆ線切断端面図。
【図２０】第４実施例を示す正面図。
【図２１】同右側面図。
【図２２】同左側面図。
【図２３】同背面図。
【図２４】同平面図。
【図２５】図２０におけるＧ−Ｇ線断面図。
【考案を実施するための形態】
【００１８】
本考案にいうところの工具用腰袋を形成する素材としては、折曲げ可能なものであれば特に限定されるものではないが、天然又は人工皮革のような皮革類や、適宜の厚さと耐摩性を備えた合成樹脂製のシート状素材や、帆布のような厚手の織布を使用するのが好ましい。しかしながら編組布，不織布，その他の耐久性に優れたシート類や、耐久性と耐候性加工を施したシート状素材を適宜選定して使用してもよい。
【実施例】
【００１９】
以下本考案の第１実施例について図面に基づいて説明する。該実施例に示した工具用腰袋は、動物性皮革によって形成した、腰ベルト挿通用空間４を備えた腰下げ部３と、工具差込用ポケット２を備えた腰袋本体１との二つの部材によって構成されていて、これらの部材１，３をヒンジ部材５としての金属製蝶番で上下方向略中間部分で、表背方向に屈曲容易となるように連結してある。
【００２０】
より詳しくは、該実施例の腰下げ部３は、図２，３に示したように、所定幅の動物皮革を上部で下向きに折曲げて、側面視形状を下向きＵ字形とした腰ベルト挿通用空間４を形成し、下部の遊端どうしを対向させて、その間に前記金属製蝶番の上半部を挟み込み、複数本の金属製連結鋲８，８で加締連結してある。また、素材皮革の周縁部には、装飾兼用補強糸７によってミシン縫い目状とした亀裂発生防止用の補強を施してある。この点は次にいう腰袋本体１においても同じである。
【００２１】
該実施例に示した腰袋本体１は、例えばペンチやプライヤーのような先端が角形になっている工具の吊り下げに適したものとしてある。この腰袋本体１は、殊に、図５〜７のように、一枚の連続した動物皮革を筒巻き状にして、ここでは、先ず平面視横長長方形状に一重巻きして第１の工具差込用ポケット２１を形成する。このとき、当該背面壁１２は、腰袋本体１を構成する素材の始端側部分１３と終端側部分１４とを直接重合させて二重壁に形成し（より強度が必要な場合はこの間に適宜の補強材を介在させてもよい）、所定の強度を保持させる。また、この二重壁の上端近く部分の合わせ面間に前記金属製蝶番の下半部を挟み込ませて、図４に示したように、複数本の金属製連結鋲８，８で加締連結させる。
【００２２】
続いて、この背面壁１２における外壁を構成させた素材シートの終端側部分１４を前方に向かって折曲げ、図３，７，８のように、第１ポケット２１の前面壁１１ａの前方にまで突出させて第２左側壁１５を形成し、第１ポケット２１の前側に、第１ポケット２１と同様に、平面視横長長方形状とした第２の工具差込用ポケット２２を形成し、その前面壁１１ｂの終端を背面側に向けて屈曲させて第２右側壁１６を形成させ、その後端側側部分を、図２のように、複数の連結鋲８，８によって第１ポケット２１の右側壁１６に連結固定させてある。該第１実施例に示した腰袋本体１は、第２ポケット２２の前面壁１１ｂの上縁を、第１ポケット２１の前面壁１１ａよりも少し下げて形成してある。このようにして、第２ポケット２２への工具挿入時に第１ポケット２１の前面壁１１ａを案内壁として利用し易くしてある。
【００２３】
図９乃至１１に示した第２実施例は、前記のように形成した第１実施例の腰袋本体１に対して、同腰袋本体１における第２ポケット２２の前面に、左側壁１７、前面壁１１ｃ、右側壁１８からなる平面視コの字形に別途形成した第３ポケット２３形成用枠体の左右の側壁１７，１８を、第２ポケット２２の左右の側壁１５，１６に対して複数の連結鋲８，８により連結して、第３の工具差込用ポケット２３を形成したものである。言うまでもなく、この第３の工具差込用ポケット２３は、前記第１実施例の腰袋本体１において示した第２ポケット２２のように、第２ポケット２２形成素材の終端側を延長させ、その延長部を更に筒巻き状として形成することもできるものである。
【００２４】
図１２乃至１９は、第３実施例を示す図である。該実施例に示した腰袋本体１は、例えばドライバーや目打ちのような先端が細い棒状の工具を吊り下げるのに適した形状としたものである。
【００２５】
該第３実施例に示した工具用腰袋の場合も、前記各実施例の場合と同様に、腰ベルト挿通用空間４を備えた腰下げ部３と、工具差込用ポケット２を備えた腰袋本体１との二つの部材によって構成され、両部材１，３間をヒンジ部材５によって上下方向に連結され、同ヒンジ部材５で、表背方向に屈曲容易となるように連結されている。
【００２６】
該実施例に示した腰袋本体１は、殊に、図１８，１９から明らかなように、一枚の連続した動物皮革を筒巻き状に一重巻きして、当該背面壁１２を、前記第１実施例の場合と同様に、腰袋本体１を構成する素材の始端側部分１３と終端側部分１４とを直接重合させて二重壁に形成して、所定の強度を保持させている。この二重壁の上端近く部分の合わせ面間には、前記ヒンジ部材５の下半部を挟み込ませて、複数本の金属製連結鋲８，８で加締連結させてある。
【００２７】
而して、該腰袋本体１の前面壁１１を、図１２，１５に示したように、上部の所定間隔部分を残して、その下方部分から下端近く部分までを、横幅方向の略中間部分で加締連結金具８Ａ，８Ａと縫合糸７Ａとによって背面壁１２と連結し、左右に二つの工具差込用ポケット２１，２１を形成してある構造としたものである。このようにして、腰袋本体１の前面に２本のドライバーや目打ちを並列させて保持させることができるようにしたものである。
【００２８】
図２０乃至図２５は、第４実施例を示す図である。該４実施例に示した工具用腰袋は、前記第３実施例に示した複数ドライバー等の吊り下げに適した工具用腰袋を利用して、更に、前記第１実施例の平面視横長長方形状としたペンチ等の工具差込用ポケットをも形成してある構造とした工具用腰袋を示したものである。
【００２９】
即ち、該第４実施例として示した工具用腰袋は、前記第３実施例に示した背面壁１２の外壁を形成させた素材シート１４の終端部を延長させて前方に向かって折曲げ、第１ポケット２１，２１の前面壁１１の前方にまで突出させて左側壁１７を形成し、前記第１ポケット２１，２１を形成する前面壁１１の前側に平面視横長長方形状とした別の工具差込用ポケット２２を形成し、この前面壁１１ｃの終端を背面側に向けて再び屈曲させて第２右側壁１８を形成させ、その後端縁近く部分を、図２１のように、複数の連結鋲８，８によって第１ポケット２１，２１の左側壁に連結固定させてある。該第２ポケット２２の前面壁１１ｃの上縁は、図２０乃至２２のように第１ポケットの前面壁１１よりも少し下げて形成してある。
【００３０】
以上本考案の代表的と思われる実施例について説明したが、本考案は必ずしもこれらの実施例として示した構造のもののみに限定されるものではなく、本考案にいう前記の構成要件を充足し、上記の目的を達成し、上記の効果を有する範囲内において適宜に改変して実施することができるものである。
【産業上の利用可能性】
【００３１】
本考案にいう工具用腰袋は、横幅方向の大きさを究極的に最小化可能な構造とし、腰ベルトへの吊り下げ時に大きな横幅を必要とせず、邪魔になることがないようにしてあるので、市場に提供したとき好まれて大いに使用される可能性を秘めたものである。
【符号の説明】
【００３２】
１  腰袋本体
２  工具差込用ポケット
３  腰下げ部
４  腰ベルト挿通用空間
５  ヒンジ部材
１２  背面壁
１３  始端側部分
１４  終端側部分
【図１】
0003175196.tif 000003
【図２】
0003175196.tif 000004
【図３】
0003175196.tif 000005
【図４】
0003175196.tif 000006
【図５】
0003175196.tif 000007
【図６】
0003175196.tif 000008
【図７】
0003175196.tif 000009
【図８】
0003175196.tif 000010
【図９】
0003175196.tif 000011
【図１０】
0003175196.tif 000012
【図１１】
0003175196.tif 000013
【図１２】
0003175196.tif 000014
【図１３】
0003175196.tif 000015
【図１４】
0003175196.tif 000016
【図１５】
0003175196.tif 000017
【図１６】
0003175196.tif 000018
【図１７】
0003175196.tif 000019
【図１８】
0003175196.tif 000020
【図１９】
0003175196.tif 000021
【図２０】
0003175196.tif 000022
【図２１】
0003175196.tif 000023
【図２２】
0003175196.tif 000024
【図２３】
0003175196.tif 000025
【図２４】
0003175196.tif 000026
【図２５】
0003175196.tif 000027